(57)【要約】原子燃料バンドル（２０）の案内管（２６）の構造的健全性を改善するアンカー組立体。スリーブ（１００）は、近接端部（１０２）と、案内管の受容端部（３８）に挿入される遠隔端部（１０４）とを有する。ピン（１４０）は、近接端部（１４２）と、スリーブの近接端部からスリーブに挿入される遠隔端部（１４４）とを有する。ピンは、スリーブに挿入されるとスリーブの内側表面（１１８）に半径方向の力を加える外側表面（１４８）を有する。この力は、スリーブ上の圧締表面（１２０）を半径方向外方に膨張させるに十分な大きさである。
2004507715.tif 000002
【特許請求の範囲】
【請求項１】
原子燃料バンドルの案内管の構造的健全性を改善するアンカー組立体であって、
ａ．近接端部、及び案内管の受容端部に挿入される遠隔端部を有するスリーブと、
ｂ．近接端部、及びスリーブに近接端部から挿入される遠隔端部を有するピンとより成り、
ｃ．ピンは、スリーブに挿入されるとスリーブの内側表面に半径方向の力を印加する外側表面を有し、その力はスリーブ上の圧締表面を半径方向外方に膨張させるに十分な大きさであり、
スリーブが案内管に装填され、ピンがスリーブ内に装填されると、圧締表面が案内管を押圧してスリーブを案内管内に保持し、外側表面が内側表面を押圧してピンをスリーブ内に保持するアンカー組立体。
【請求項２】
近接端部は、燃料バンドルの一部と荷重支持関係で係合する荷重表面を有する請求項１の組立体。
【請求項３】
ａ．内側表面の少なくとも一部がテーパーしており、
ｂ．外側表面の少なくとも一部が内側表面と相補的にテーパーしている請求項２の組立体。
【請求項４】
内側表面は、約１２インチにつき約０．１２５インチの割合でテーパーしている請求項３の組立体。
【請求項５】
内側表面は、少なくとも遠隔端部近くから近接端部の方へ延びる請求項３の組立体。
【請求項６】
スリーブは、少なくとも遠隔端部近くから近接端部の方へ延びる少なくとも１つの応力解放スロットを有する請求項５の組立体。
【請求項７】
圧締表面は少なくとも１つのリングを有する請求項６の組立体。
【請求項８】
傷が受容端部から傷距離の所に位置し、圧締表面が近接端部から傷距離より大きい到達長さの所に位置する請求項７の組立体。
【請求項９】
原子燃料バンドルの、受容端部から傷距離の所に傷がある案内管の構造的健全性を改善する組立体であって、
ａ．近接端部、案内管の受容端部に挿入される遠隔端部、及び近接端部から傷距離より長いつかみ距離の所にある圧締表面を有する細長いスリーブと、
ｂ．近接端部、及びスリーブに近接端部から挿入される遠隔端部を有する細長いピンとより成り、
ｃ．細長いピンは、細長いスリーブに挿入されるとスリーブの内側表面に半径方向の力を印加する外側表面を有し、その半径方向の力は圧締表面を半径方向外方に膨張させるに十分な大きさであり、
細長いスリーブが案内管に装填され、細長いピンがスリーブ内に装填されると、圧締表面が案内管を押圧してスリーブを案内管内に保持し、傷が近接端部と圧締表面との間に位置する組立体。
【請求項１０】
近接端部は、燃料バンドルの一部と荷重支持関係で係合する請求項９の組立体。
【請求項１１】
細長いスリーブは、少なくとも遠隔端部近くから近接端部の方へ延びる少なくとも１つの応力解放スロットを有する請求項１０の組立体。
【請求項１２】
圧締表面は少なくとも１つのリングを有する請求項１１の組立体。
【請求項１３】
ａ．内側表面の少なくとも一部がテーパーしており、
ｂ．外側表面の少なくとも一部が内側表面と相補的にテーパーしている請求項１２の組立体。
【請求項１４】
内側表面と外側表面とは自己圧締能力を有する請求項１３の組立体。
【請求項１５】
内側表面は、少なくとも遠隔端部近くから近接端部の方へ延びる請求項１３の組立体。
【請求項１６】
移動の際荷重支持部材として働く１またはそれ以上の案内管を備えた燃料バンドルの燃料管の構造的健全性を改善する方法であって、
ａ．近接端部に隣接する荷重表面と、遠隔端部に隣接する圧締表面とを有するスリーブを用意し、
ｂ．スリーブの遠隔端部を案内管の受容端部に挿入し、スリーブを、荷重表面が燃料バンドルの一部と係合するまで案内管内で移動させ、
ｃ．圧締表面を案内管と荷重支持関係で係合するまで移動させるステップより成る燃料バンドルの燃料管の構造的健全性改善方法。
【請求項１７】
ピンの外側表面が圧締表面に隣接するスリーブの内側表面と接触するまでピンをスリーブの近接端部からスリーブに挿入し、ピンをスリーブ内に移動させて圧締表面を案内管の方へ半径方向に膨張させるためにピンに力を印加するステップを含む請求項１６の方法。
【請求項１８】
ａ．案内管内の傷の位置を突き止め、
ｂ．案内管に挿入すると傷が荷重表面と圧締表面との間に来るようにスリーブを用意するステップを含む請求項１７の方法。
【請求項１９】
ピンに印加される力を測定するステップを含む請求項１７の方法。
【請求項２０】
ピンに印加される力を所定の受入れ可能な力の範囲と比較するステップを含む請求項１９の方法。
【請求項２１】
ピンの移動距離を測定するステップを含む請求項１７の方法。
【請求項２２】
ピンの移動距離を所定の受入れ可能な長さと比較するステップを含む請求項２１の方法。
【発明の詳細な説明】
【０００１】
【背景】
商用軽水炉のようなある特定の原子炉に用いる原子炉燃料バンドルまたは組立体の重量は、主として、上端部取付け部品、燃料棒、下端部取付け部品及び中間格子ケージより成る。
【０００２】
燃料バンドルを取扱う際、燃料交換用マストまたはグラップルのような工具を上端部取付け部品に連結する。燃料バンドルを吊上げると、燃料バンドルの重量の大部分が、上端部取付け部品に接続されて中間格子ケージを下方に貫通する燃料棒案内管により支持される。このため、燃料バンドルを安全に移動させる上で案内管の構造的健全性を保持することが肝要である。
【０００３】
しかしながら、案内管の構造的健全性が損なわれるか、または少なくとも健全性に問題がある場合がある。案内管は、原子炉または使用済み燃料プール内の利用環境による、例えば応力腐食割れのような欠陥が形成されるという問題と抱えている。案内管にこのような割れや他の傷が存在するか、存在する疑いがある場合、案内管の構造的健全性を改善して燃料バンドルの取扱い安全性を確保する必要がある。
【０００４】
図１は、案内管（２）の構造的健全性を修復するために使用される組立体を燃料バンドル（３）の一部と固着関係で示す。この組立体は、スリーブ（４）と螺設棒（６）とを有する。スリーブは、クランプ部分（８）、螺設部分（１０）及び末広がり表面（１２）を有する。螺設棒は、末広がり表面（１４）と、スリーブの螺設部分（１０）内に螺着される螺着部分（１６）とを有する。
【０００５】
ボルトのヘッド（１８）を適当な方向に回転させると、螺設棒がスリーブに関して軸方向に移動して螺設棒の末広がり表面（１４）をスリーブ上の末広がり表面（１２）に接触させ、引き込む。ボルトヘッドをさらに回転させると、クランプ部分（８）が弛緩位置から膨張して案内管の内側表面と荷重支持接触する位置へ来る。スリーブは、膨張を容易にするため長手方向に延びる１つまたはそれ以上の応力解放スロット（図示せず）を備えることがある。別個の圧締手段（図示せず）によりピンの回転を阻止して、ピンをスリーブ内に維持する。
【０００６】
原子炉の燃料バンドルを移動させる際には安全性とスピードの両方が求められるため、案内管の構造的健全性を確保する改良型手段を具備することが望ましい。
【０００７】
【発明の概要】
本発明のアンカー組立体は、案内管の構造的健全性の改善に使用するものであり、上端部取付け部品の所の受容端部から案内管に装填できる細長いスリーブと、細長いピンとより成る。細長いピンを上端部取付け部品からスリーブに挿入すると、スリーブの一部が半径方向に膨張して案内管の内側表面と接触し、案内管に半径方向の力を加える。この膨張により、スリーブ、ピン及び案内管の間に発生する半径方向の力がスリーブ及びピンを案内管内の定位置にロックする。これらの部材を装填すると、スリーブは、それまで案内管または構造的な傷を含む案内管の一部が支持していた荷重を担うことができる。
【０００８】
スリーブは、近接端部と、案内管内に挿入される遠隔端部とを有する。ピンは、近接端部と、スリーブの近接端部からスリーブに挿入される遠隔端部とを有する。ピンは、スリーブに挿入されるとスリーブの内側表面に半径方向の力を印加する外側表面を有する。その力は、スリーブの圧締表面を半径方向外方に膨張させるに十分なものである。従って、スリーブを案内管に装填し、ピンをスリーブ内に装填すると、圧締表面が案内管を押圧してスリーブを案内管内に保持し、外側表面が内側表面を押圧してピンをスリーブ内に保持する。
【０００９】
本発明の別の局面によると、近接表面は、燃料バンドルの一部と荷重支持関係で係合する荷重支持表面を有する。
【００１０】
本発明の別の局面によると、内側表面の少なくとも一部がテーパーしており、また外側表面の少なくとも一部が内側表面と相補的にテーパーしている。
【００１１】
本発明の別の局面によると、内側表面は、１２インチ毎に約０．１２５インチの比率のテーパーを有する。
【００１２】
本発明の別の局面によると、内側表面は、少なくとも遠隔端部近くから近接端部の方へ延びる。
【００１３】
本発明の別の局面によると、スリーブは、少なくとも遠隔端部近くから近接端部の方へ延びる少なくとも応力解放スロットを有する。
【００１４】
本発明の別の局面によると、圧締表面は１またはそれ以上のリングを有する。
【００１５】
本発明のさらに別の局面によると、原子燃料バンドルの、受容端部から傷距離の所に傷がある案内管の構造的健全性を改善する組立体が提供される。この組立体は、近接端部、案内管の受容端部に挿入される遠隔端部、及び近接端部から傷距離より長いつかみ距離の所にある圧締表面を有する細長いスリーブを有する。この組立体はまた、近接端部、及びスリーブに近接端部から挿入される遠隔端部を有する細長いピンを有する。細長いピンは、細長いスリーブに挿入されるとスリーブの内側表面に半径方向の力を印加する外側表面を有し、その半径方向の力は圧締表面を半径方向外方に膨張させるに十分な大きさである。かくして、細長いスリーブが案内管に装填され、細長いピンがスリーブ内に装填されると、圧締表面が案内管を押圧してスリーブを案内管内に保持し、傷が近接端部と圧締表面との間に位置する。
【００１６】
本発明の別の局面によると、近接端部は、燃料バンドルの一部と荷重支持関係で係合するようになっている。
【００１７】
本発明の別の局面によると、内側表面と外側表面とは自己圧締能力を有する。
【００１８】
本発明の別の局面によると、移動の際荷重支持部材として働く１またはそれ以上の案内管を備えた燃料バンドルの燃料管の構造的健全性を改善する方法が提供される。近接端部に隣接する荷重表面と、遠隔端部に隣接する圧締表面とを有するスリーブを用意し、スリーブの遠隔端部を案内管の受容端部に挿入し、スリーブを、荷重表面が燃料バンドルの一部と係合するまで案内管内で移動させ、圧締表面を案内管と荷重支持関係で係合するまで移動させる。
【００１９】
本発明の別の局面によると、ピンの外側表面が圧締表面に隣接するスリーブの内側表面と接触するまでピンをスリーブの近接端部からスリーブに挿入し、ピンをスリーブ内に移動させて圧締表面を案内管の方へ半径方向に膨張させるためにピンに力を印加する。
【００２０】
本発明の別の局面によると、案内管内の傷の位置を突き止め、案内管に挿入すると傷が荷重表面と圧締表面との間に来るようにスリーブを用意する。
【００２１】
本発明の別の局面によると、ピンに印加される力を測定する。
【００２２】
本発明の別の局面によると、ピンに印加される力を所定の受入れ可能な力の範囲と比較する。
【００２３】
本発明の別の局面によると、ピンの移動距離を測定する。
【００２４】
本発明の別の局面によると、ピンの移動距離を所定の受入れ可能な長さと比較する。
【００２５】
【好ましい実施例の詳細な説明】
図２は、本発明の特徴部分を備えた組立体を使用する燃料バンドル（２０）の部分図である。燃料バンドルの構成（例えば、幾何学的形状、重量、材質、傷の場所）は実施例により異なる。従って、当業者は、本願明細書に記載された組立体の構造を燃料バンドルの種々の構成に適応するように変更できることがわかるであろう。
【００２６】
燃料バンドルは、上端部取付け部品（２２）、中間格子ケージ（２４）及び下端部取付け部品（２５）を有する。複数の燃料棒案内管（２６）、（２８）、（３０）、（３２）、（３４）、（３６）は、上端部取付け部品（２２）から中間格子ケージ（２４）を貫通する。
【００２７】
それ以外の案内管を代表する案内管（２６）は、上端部取付け部品（２２）に接続された受容端部（３８）を有する。案内管は、例えばステンレス鋼から製造可能な外側部分（４０）と、例えばジルコニウム合金から製造可能なシンブル管または内側部分（４２）とを有する。案内管の内側表面（４４）は、内径（Ｄ２）を有する。
【００２８】
吊上げ用工具（５０）の一部を、上端部取付け部品（２２）との係合関係で示す。この工具は、上端部取付け部品内に延びる複数の吊上げアーム（５２）、（５４）及び（５６）より成る。図示の吊上げアーム（５２）から分かるように、これらのアームは、外方に延びて上端部取付け部品の出張り（６０）と係合するタブ（５８）を有する。工具をこのように装着すると、燃料バンドルを持上げて操作することが可能になる。燃料バンドルを持ち上げると、上端部取付け部品（２２）の重量が工具（５０）により支持されるが、燃料棒（図示せず）、中間格子ケージ（２４）及び下端部取付け部品（２５）より成る燃料バンドルの重量の大部分は案内管が支持しなければならない。
【００２９】
図３は、本発明の特徴部分を備えた細長いスリーブ（１００）を示す。このスリーブは中心線（ＣＬｓ）に関して円筒形であり、好ましくは、Ｒｃが約２０のステンレス鋼、ＡＳＭＥ　ＳＡ−４７９、Ｔｙｐｅ　４１０、Ｃｏｎｄｉｔｉｏｎ　１、のような材料で形成される。この製造技術は当業者にとって公知である。スリーブ（１００）は近接端部（１０２）及び遠隔端部（１０４）を有し、遠隔端部は案内管の受容端部（３８）に挿入される。
【００３０】
スリーブの工具固着部（１０５）はフランジ（１０６）を有し、その荷重表面（１０７）は、スリーブ（１００）が案内管に装填されると荷重を支持する関係で上端部（３８）に隣接する上端部取付け部品（２２）上に載るようになっている。スリーブのこの工具固着部はまた、カラー部材（１０８）とスロット（１０９）とを有する。長さ（Ｌ２）のスリーブは、荷重表面（１０７）から遠隔表面（１０４）ヘ延びる。
【００３１】
内側通路（１１０）は、近接端部（１０２）から遠隔端部（１０４）へ延びる。この内側通路は、第１の部分（１１２）と第２の部分（１１４）とを有する。第１の部分は、近接端部（１０２）から第２の部分（１１４）の太い端部（１１６）までの到達長さ（Ｌ４）について実質的に均等な内径（Ｄ４）を有する。到達長さ（Ｌ４）は、案内管に見付かる傷よりも上端部取付け部品２２からさらに離れた所に第２の部分（１１４）を位置決めするに十分な長さである。
【００３２】
第２の部分のつかみ長さは（Ｌ６）であり、遠隔端部の内径は（Ｄ６）、太い端部の内径は（Ｄ８）である。この内径（Ｄ８）は内径（Ｄ４）と同じでよく、直径Ｄ６よりも大きい。従って、第２の部分１１４はテーパーした内側表面１１８を有する。内径（Ｄ６）及び（Ｄ８）は、ピンとスリーブが案内管内で完全装填状態に置かれた時自己圧締能力を有するように選択される。本明細書で用いる用語「圧締」は、ピンとスリーブとの間に生じる力がピンをスリーブ内に保持するに十分な大きさであり、さらに別に圧締手段を必要としない状態のことをいう。圧締状態は種々のテーパー比率で得られるが、このテーパー比は、好ましくは、１０乃至１１インチにつき約０．１０乃至０．１５インチ、最も好ましくは１２インチにつき約０．１２５インチである。従って、最も好ましいケースでは、第２の部分（１１４）の半径は、太い端部（１１６）から近接端部（１０４）へ向けて移動すると、１２インチ毎に約０．１２インチ減少する。
【００３３】
外側のつかみ表面または圧締表面（１２０）は、遠隔端部（１０４）から太い端部（１１６）へ延びて、その直径は（Ｄ１０）である。この直径は、スリーブを受容端部（３８）で案内管内に装填できるように案内管の内径（Ｄ２）より僅かに小さい値に選択される。
【００３４】
圧締表面（１２０）は、３つの太径部（１２４）、（１２６）、（１２８）を有する。各太径部の長さは（Ｌ８）であり、それらは長さ（Ｌ１０）の解放部分（１２２）、（１２３）により互いに分離されている。図示の実施例において、（Ｌ８）は約０．４４インチ、（Ｌ１０）は約０．２５インチである。各太径部は、案内管の内側表面（４４）をつかむ表面を形成するために当業者に知られた方法により研削または他の方法で調製することができる。例えば、図４に示す太径部（１２８）から分かるように、これらの太径部は、一連のリング（１２９ａ）、（１２９ｂ）、（１２９ｃ）、（１２９ｄ）、（１２９ｅ）、（１２９ｆ）、（１２９ｇ）、（１２９ｈ）及び（１２９ｉ）を有する。リングの横断面は、高さが（ｈ１）の背面（１３０）と、スリーブの円筒状外側表面（１３５）に対する角度がΦ１の前方傾斜表面（１３４）と、長さが（ｔ１）の頂面（１３６）とを有する。図示の実施例において、（ｈ１）は約０．０３１インチ、Φ１は約４５°、（ｔ１）は約０．００５インチでよい。太径部（１２４）、（１２６）、（１２８）だけでなく、圧締表面（１２０）はさらに別のリング（１３７）を備えることができる。このリング（１３７）はリング（１２９ａ）から距離（Ｌ１１）だけ離れた所にあり、（Ｌ１１）は約０．０９インチである。圧締表面（１２０）の半径方向の膨張を容易にするために、応力解放スロット（１３２）は、細長いスリーブ（１００）の遠隔端部（１０４）からスリーブの近接端部（１０２）の方へ長さ（Ｌ１２）だけ延びる。細長いスリーブ（１００）の周面に、かかるスロットを４個、等間隔で設けるのが好ましい。
【００３５】
図５は、近接端部（１４２）と遠隔端部（１４４）とを有する細長いピン（１４０）を示し、この遠隔端部がスリーブの近接端部に挿入される。このピンは、Ｒｃが約２０のステンレス鋼、ＡＳＭＥ　ＳＡ−４７９、Ｔｙｐｅ　４１０、Ｃｏｎｄｉｔｉｏｎ　１、のような材料を研削して製造するのが好ましい。製造技術は当業者に知られたものである。ピンの全長（Ｌ１３）は、少なくともスリーブ（Ｌ２）と同じ長さに選択することができる。ピンは、長さ（Ｌ１４）の均一な部分（１４６）と、長さ（Ｌ１６）のテーパー部分（１４８）とを有する。長さ（Ｌ１６）は、細長いスリーブ（１００）上の長さ（Ｌ６）と同じ長さに選択することができる。
【００３６】
均一な部分の直径（Ｄ１２）は一定であるが、この直径は、ピンを細長いスリーブ（１００）内の完全装填位置へ移動できるようにスリーブの内部通路（１１０）の第１の部分（１１２）の内径（Ｄ４）よりもわずかに小さい値に選択される。テーパー部分の直径（Ｄ１４）は均一な部分（１４６）から遠隔端部（１４４）の方向へ減少するため、テーパー付き外側表面（１４８）が提供される。テーパー比率は、細長いスリーブ（１００）のテーパー付き内側表面（１１８）の比率と相補的になるように、またはマッチするように選択される。ピンの近接端部（１４２）は、ヘッド（１５１）、スロット（１５２）、ノブ（１５４）を有する工具固着部（１５０）を有する。
【００３７】
本発明の特徴部分を備えた装置の構成を説明したので、かかる装置の使用方法を後述する。
【００３８】
燃料バンドルの構成は、技術図面及び仕様書、また必要であれば直接測定を照会することにより決定することができる。案内管の傷は、視認検査により、また当業者によく知られた非破壊検査方法により、その性質と場所を特定すればよい。
【００３９】
図６に示す燃料バンドル（２０）において、案内管の内径（Ｄ２）は０．５０５インチであり、燃料バンドルの重量は約１３００ポンドであると予想できる。割れまたは他の傷（図示せず）は、燃料管（２６）、（３０）において、上端部取付け部品（２２）から約２インチの傷長さ（ＦＬ）の所にあると認識できる。
【００４０】
細長いスリーブ（１００）は約５．５インチの到達長さ（Ｌ４）を有するように製造されているため、案内管内に装填すると圧締表面（１２０）が欠陥の下方に位置して、欠陥が圧締表面と上端部取付け部品との間に来るようになる。圧締表面の直径（Ｄ１０）は、スリーブを僅少間隙で案内管に挿入できるようにするため、０．５００インチに選択される。つかみ長さは約２．２５インチに、また内径（Ｄ６）は０．２１４インチとなるように選択される。スリーブには４つの応力解放スロット（１３２）が鋸により形成されているが、それらの長さ（Ｌ１２）は約４．５インチで、スリーブの円周方向に互いに９０°の等角度で離隔している。
【００４１】
細長いピン（１４０）は、全長（Ｌ１３）が約８．９インチ、テーパー部分の長さ（Ｌ１６）が約４．１２インチ、均一な部分の長さ（Ｌ１４）が約７．５インチとなるように製造されている。均一な部分の直径（Ｄ１２）は、僅少間隙でスリーブの第１の部分（１１２）内に嵌合するように約０．３００インチである。テーパー部分（１４８）の直径（Ｄ１４）は、遠隔端部（１４４）で約０．２１４インチである。
【００４２】
ピンは、スリーブの近接端部を介してスリーブ内に装填される。ピンの装填に工具（１５６）を用いることができる。工具には、油圧式ラム（１６０）と、ピン固着部（１５０）及びスリーブ固着部（１０５）に固着されるグラップル工具（１６２）、（１６４）とが含まれる。
【００４３】
工具を用いてピンをスリーブ内に予め装填した状態にすると、ユニットとして輸送可能なアンカー組立体が得られる。工具により、アンカー組立体を燃料バンドル（２０）内の完全取付け位置に置くこともできる。予備装填時、グラップル工具（１６４）は、タブ（１６６）、（１６８）がスロット（１５２）に挿入された状態でスリーブ（１００）を静止状態に保持する一方、ラム（１６０）がピン（１４０）に力を加える。油圧式ラムは、ピンの外側表面（１４８）がスリーブの内側表面（１１１）に押圧されて、圧締表面（１２０）を半径方向にわずかに膨張させるように、ピンをスリーブ内に圧入する。膨張の大きさは、これら２つの表面間に可撓性圧締力が発生して、ピンが予想される取扱い・輸送条件下でスリーブ内にロックされるに十分なものであるが、スリーブを案内管に挿入できなくする程大きなものではない。
【００４４】
予備装填後、スリーブ及びピンより成るアンカー組立体を構造を改善する必要がある案内管に挿入する。図示の案内管（３０）から分かるように、荷重支持表面（１０７）が上端部取付け部品（２２）と接触するまでスリーブを案内管の受容端部（３８）から挿入する。この部分装填位置では、ピンのヘッド（１５１）は上端部取付け部品から部分装填距離（Ｌ１８）だけ離れている。
【００４５】
図示の案内管（２６）から分かるように、油圧式ラム（１６０）及びグラップル工具（１６２）、（１６４）は、ヘッド（１５１）が上端部取付け部品から完全装填距離（Ｌ２０）だけ離れた完全装填状態位置にこれらの部品が移動するまで、ピンをスリーブ内にさらに移動させるためのものである。ラムがピンに力を加えるにつれて、ピンのテーパー付き外側表面（１４８）はスリーブのテーパー付き内側表面（１１８）に関して移動する。この相対的な移動により、ピンのテーパー付き表面がスリーブのテーパー付き表面に力を加える。この力の一部は半径方向に向いているため、スリーブの圧締表面（１２０）が案内管の方へ半径方向に膨張する。膨張するにつれて、スリーブの応力は応力解放スロットにより減少する。装填のこの部分において、ピンの移動距離とピンに加わる力とを、当業者に知られた手段を用いてモニターすると、それらを所定の受入れ可能な力の範囲及び所定の受入れ可能な長さの限界内に収めることができる。これらの所定の限界は、燃料バンドルの所与の構成に適用可能な計算及び／またはテストから得ることができる。これら所定の限界は、案内管をつかんでその荷重を支持するように係合するに十分に圧締表面を外方に膨張させる大きさであり、受入れ可能限界を示す永続的な記録として記憶または記録することができる。荷重及び変位量はそれぞれ、約２１５乃至２３５ポンド及び約０．２０乃至０．２５インチである。これらの荷重及び変位量で、アンカー組立体及び案内管は最大約１０００ポンドの重量を支持することができる。
【００４６】
ピンがスリーブ内に完全に装填された状態で、ピンとスリーブとの間の力は、ピンの外側表面（１５８）とスリーブの内側表面（１４８）との間に生じる。ピンの近接端部は実質的な荷重を支持しない。ピンとスリーブとの間に発生する摩擦力は、これらの部品を定位置でロックするため、別の圧締手段が不要になる程十分な大きさである。さらに、圧締表面（１２０）と内側表面（４８）との間に発生する力は、所定の荷重下で中心線（ＣＬｓ）の方向に移動しないようにスリーブを案内管内の定位置でロックするつかみ荷重支持関係を提供するに十分な大きさである。燃料バンドルを吊上げる時、通常は燃料管により支持される燃料バンドルの重量がスリーブにより支持される。支持重量は、案内管の内側表面（４４）とスリーブの圧締表面（１２０）との間に生じるつかみ荷重支持関係によりスリーブの圧締表面（１２０）へ転送される。スリーブに転送される重量は、燃料バンドルに載る荷重表面（１０７）により支持される。傷はこれら２つの荷重点の間にあるため、案内管の脆弱部分が通常の荷重支持機能から解放され、この機能がスリーブにより実行される。
【００４７】
ピン及びスリーブを案内管から取外すには、フィンガー（１７０）、（１７２）をスロット（１５２）に挿入し、タブ（１６６）、（１６８）をスロット（１０９）に挿入する。タブ（１６６）、（１６８）によりスリーブを定位置に保持しながら、工具によりフィンガー（１７０）及び（１７２）を介してフィンガーのヘッド（１５１）に引抜き力を加える。このようにすると、スリーブを定位置に保持したままでピンを引抜くことができ、ピンを引抜くと、圧締表面（１２０）は、案内管の内側表面（４８）をつかまない無応力状態に復帰する。その後、スリーブを案内管から取外す。
【００４８】
本発明をその特徴を備えた装置及び方法に関連して説明したが、この説明は例示的なものであって限定的なものでないことを理解されたい。従って、本発明の精神及び範囲は頭書の特許請求の範囲の文言によってのみ限定されるべきである。
【図面の簡単な説明】
【図１】
図１は、従来技術の装置を案内管に取付けた状態で示す部分断面前立面図である。
【図２】
図２は、吊上げ用工具及び燃料バンドルの部分断面前立面図である。
【図３】
図３は、細長いスリーブの断面前立面図である。
【図４】
図４は、圧締表面の一部を断面を示す前立面図である。
【図５】
図５は、細長いピンの前立面図である。
【図６】
図６は、燃料バンドルの部分断面前立面図であり、細長いスリーブ及びピンの装填手順を示す。
【国際公開パンフレット】
2004507715.tif 000003
2004507715.tif 000004
2004507715.tif 000005
2004507715.tif 000006
2004507715.tif 000007
2004507715.tif 000008
2004507715.tif 000009
2004507715.tif 000010
2004507715.tif 000011
2004507715.tif 000012
2004507715.tif 000013
2004507715.tif 000014
2004507715.tif 000015
2004507715.tif 000016
2004507715.tif 000017
2004507715.tif 000018
2004507715.tif 000019
2004507715.tif 000020
2004507715.tif 000021
2004507715.tif 000022
2004507715.tif 000023
2004507715.tif 000024
【国際公開パンフレット（コレクトバージョン）】
2004507715.tif 000025
2004507715.tif 000026
【国際調査報告】
2004507715.tif 000027
2004507715.tif 000028